【事件の表示】
　特許第３１５８９２５号「印刷用データの検索装置」の請求項１に係る特許に対する特許異議の申立てについて、次のとおり決定する。
【結　論】
　特許第３１５８９２５号の請求項１に係る特許を取り消す。
【理　由】
１．手続の経緯
　特許第３１５８９２５号の請求項１に係る発明は、平成６年１２月２８日に特許出願され、平成１３年２月１６日に特許権の設定登録がなされたものであり、その後特許異議申立人より本件の請求項１に係る特許に対して特許異議の申立がなされ、当審より特許異議申立の理由と同旨の取消理由が通知され、その指定期間内である平成１４年４月２日に特許権者より意見書が提出されたものである。
　
２．特許異議の申立について、
（１）本件請求項１に係る発明
　特許第３１５８９２５号の請求項１に係る発明（以下「請求項１発明」という。）は、特許請求の範囲請求項１に記載された次のとおりのものと認められる。
「【請求項１】　複数の印刷用データから印刷対象の印刷用に用いられるものを検索する装置であって、
　各印刷用データを検索条件に対応付けて記憶する手段と、
　検索条件を指定する手段と、
　指定された検索条件に対応する印刷用データを検索する手段と、
　検索された印刷用データを表示する手段と、
　表示された印刷用データを指定する手段と、
　指定された印刷用データを一時的に記憶する手段と、
　一時的に記憶された印刷用データを出力する手段とを備え、
　印刷用データを一時的に記憶した状態で、検索条件を指定し、指定された検索条件に対応する印刷用データを検索し、検索された印刷用データを表示し、表示された印刷用データを指定し、指定された印刷用データを前記一時的に記憶した印刷用データに累積して一時的に記憶することが可能な印刷用データの検索装置。」
　
（２）当審が通知した取消理由の概要
　特許異議申立人の異議申立の理由を引用して当審が通知した取消理由の概要は次のとおりである。
　本件請求項１発明は、その出願前日本国内において頒布された下記の刊行物に記載された発明に基づいてその出願前にその発明の属する技術の分野における通常の知識を有する者が容易に発明をすることができたものであるから、特許法第２９条第２項の規定により特許を受けることができない。
            　　　　　　　　　　　　記
刊行物１：特開平６−１３１３７８号公報（平成６年５月１３日公開公報発行；異議申立人が引用した甲第１号証）
　
（３）本件請求項１発明の特許性の有無
　そこで、本件請求項１発明が特許を受けることができるものか否かについて検討する。
　ア．刊行物１に記載の発明
　　刊行物１には、プレゼンテーションシステムに関する発明が開示されており、明細書には次のような記載がある。
(a)　「【０００７】【課題を解決するための手段】　この発明では、ワークステーション１と、入力装置２と、記憶装置３と、ディスプレイ装置９と、プリンタ装置１０を備えており、記憶装置３が、選択すべき商品の種類を表示したカルク表からなる商品種類選択ボード５と、商品の種類毎にまとめて商品の画像6aと価格6eを一覧表にしたカルク表からなる商品別一覧表６と、前記商品別一覧表６で選択された商品の画像6aを表示するためのフィールド7aを設けたカルク表からなるプレゼンテーションボード７と、前記商品別一覧表６で選択された商品の画像6aと単価6bと購入合計金額を表示するためのフィールド8aを設けたカルク表からなる見積書ボード８を記憶しており、ワークステーション１が商品別一覧表６の中で選択された商品を検索し、プレゼンテーションボード７の指定されたフィールド7aに選択された商品の画像6aを表示すると共に、見積書ボード８の指定されたフィールドに選択された商品の画像6aと単価6bを表示し、指定されたフィールド8aに選択された商品の購入合計金額を計算して表示するようにしたプレゼンテーションシステムとした。
【０００８】　さらに、上記の商品別一覧表６の商品の画像6aを表示している部分をワークステーション１にマクロ命令するマクロボタンとし、入力装置２で希望する商品の画像部分を指定して入力すると、ワークステーション１が画像番号をビデオディスク装置１１に出力し、出力された画像番号により商品別一覧表６上で選択された商品を説明する画像のデータを記憶装置１２より取り出し、ディスプレイ装置１３に表示するようにしたビデオディスク装置１１を備えることもできる。
【０００９】　　【作用】　商品種類選択ボード５から選択すべき商品の名称を選択し入力装置２で入力すると、記憶装置３に記憶された商品別一覧表６がワークステーション１により取り出され、ディスプレイ装置９に表示される。そして希望する商品をその表の中から選択し入力装置２で入力する。
【００１０】　順次繰り返して必要な全ての商品を選択し、プレゼンテーションボードを作成するようにワークステーション１に指示すると、記憶装置３に記憶されたプレゼンテーションボード７がディスプレイ装置９にあらわれ、該当するフィールド7aに選択した商品の画像6aを表示する。　見積表を作成するようにワークステーション１に指示すると、記憶装置３に記憶された見積表ボード８がディスプレイ装置９にあらわれ、該当するフィールドに選択した商品の画像6aと単価6bを表示し、さらに購入合計金額を表示するためのフィールド8aに購入合計金額を計算し表示する。
【００１１】　プレゼンテーションボードや見積表は、プリンタ装置１０で紙に出力することができる。　商品別一覧表６の画像6a部分を選択して入力装置２でワークステーション１に入力すると、マクロ命令が展開され、ワークステーション１がビデオディスク装置１１に画像番号を出力する。ビデオディスク装置１１は画像番号が入力されると該当する画像のデータを記憶装置１２から取り出してディスプレイ装置に表示する。」
(b)　「【００２１】　そして、これらはバス１４によりワークステーション１と結ばれている。　次に図９及び図１０のフローチャートを用いて、このシステムの動作について説明する。（Ａ）ワークステーション１を起動すると、図２の場所選択ボード４がディスプレイ装置９に表示される。（Ｂ）場所選択ボード４に表示された場所名が書かれたラベル4bの一つを選択し入力する。（Ｃ）すると、その場所の商品種類選択ボード５がディスプレイ装置９上に表示される。例えばリビングのラベル4bを選択して入力すると、図３に示すようなリビングのパース図の画像5aと、選択すべき商品名が記載されたラベル5bがディスプレイ装置９上に表示される。（Ｄ）ラベル5bの一つを選択して入力すると、商品別一覧表６がディスプレイ装置９上に表示される。例えば家具のラベル5bを選択し入力すると、図４に示すような家具の一覧表６が表示される。（Ｅ）商品別一覧表６に表示された商品の詳細を知りたい場合は、詳しく知りたいと思う家具の画像6a部分にカーソルを合わせ、入力装置２で入力する。（Ｆ）すると、ワークステーション１から該当する家具の画像6aの画像番号がビデオディスク装置１１に出力される。（Ｇ）ワークステーション１からの信号を入力したビデオディスク装置１１は、同一画像番号の画像をビデオディスク装置１１の記憶装置１２から捜し出す。（図１０参照）（Ｈ）そして、該当する家具の画像をディスプレイ装置１３に表示する。（Ｉ）購入する商品が決まると、数量を記入するフィールド6eに入力装置２を使用して数量を入力する。（Ｊ）Ｂ〜Ｉを繰り返し、全ての商品の選択が終了すると、プレゼンテーションボードの作成か、見積書の作成か、いずれかのタスクを選択する。（Ｋ）プレゼンテーションボードの作成を選択すると、プレゼンテーションボード７がディスプレイ装置９上に表示される。（Ｌ）そして、選択された商品の画像6aがプレゼンテーションボード７の該当するフィールド7aに入れられた計算式により検索されて表示される。（Ｍ）見積書の作成を選択すると、見積書ボード８が表示される。（Ｎ）そして、選択された商品の画像6a、単価6b、数量6e等が検索され、上段左側から順に表示される。（Ｏ）さらに、合計金額欄のフィールド8aに入れられた計算式により合計金額が計算されて表示される。
【００２２】　このようにして、作成されたプレゼンテーションボードや見積書は、希望によりプリンタ装置１０で紙に出力される。　尚、資金返済計画表を入れたカルク表を同時に記憶装置３に記憶させておけば、見積書の購入合計金額のフィールド8aに入れられた金額を取り込みその場で資金返済計画について検討できるようにすることができる。」
(c)　「【００２５】　この実施例では、ビデオディスク装置１１から出力する画像を、ビデオディスク装置１１用のディスプレイ装置１３に表示させるようにした例を示したが、ＲＧＢビュー等のビデオディスク装置１１から出力する画像をワークステーション１のディスプレイ装置９に表示できる装置を使用すれば、ビデオディスク装置１１用のディスプレイ装置１３をなくして実施することもできる。また、ビデオディスク装置を起動するマクロボタンを商品別一覧表６にだけ設けた例を示したが、他のボードに設けて実施し、他の説明用の画像をディスプレイ装置に表示させるようにすることもできる。」
　これらの記載によれば、
選択された商品の画像6aがプレゼンテーションボード７の該当するフィールド7aに表示され適宜プリントされるものであって、商品種類選択ボードの商品名が記載されたラベル5bの一つを選択して入力すると、ラベルに応じた家具等の商品別一覧表がディスプレイ装置９に表示され、利用者が入力装置２でディスプレイ装置９に表示された商品別一覧表中の希望する商品の画像部分直下のフィールド6eに数量を入力し、他の希望する商品についてもこれを繰り返して、必要な全ての商品を選択し、しかる後にプレゼンテーションボードを作成するようにワークステーション１に指示すると、記憶装置３に記憶されたプレゼンテーションボード７がディスプレイ装置９にあらわれ、該当するフィールド7aに選択した商品に対応するビデオディスク装置に記録されている画像6aを表示し、またこれを適宜プリンタ装置で紙に出力（プリント）するという発明が開示されているということができる。
　そこで請求項１発明と刊行物１に記載の発明とを対比する。
　刊行物１に記載の発明は、入力装置２で商品種類選択ボードの商品名が記載されたラベル5bの一つを選択して入力すると、記憶装置３に記憶された商品別一覧表がワークステーション１により取り出されディスプレイ装置９に表示されるようになっており、この取り出す段階では検索が行われることは明らかであり、また、商品別一覧表の複数の商品の画像は表示またはプリントされる画像に対応した画像であるから、商品別一覧表の複数の商品の画像のデータは表示またはプリントされる画像のデータの基となるデータということができる。したがって、入力装置２、ワークステーション１および記憶装置３等は、複数の印刷用データの基となるデータから印刷対象の印刷用に用いられる基となるデータを検索する装置ということができる。
　刊行物１に記載の発明において、画像が列挙された商品別一覧表それぞれは商品種類選択ボードに複数並んでいるラベル5bに対応して取り出せるように記憶装置３に記憶されているべきことは明らかであり、ラベル5bはどの商品別一覧表を表示するかという検索条件を表しているということができるから、この記憶装置３は、各印刷用データの基となるデータを検索条件に対応付けて記憶する手段ということができる。
　刊行物１に記載の発明の入力装置２、ワークステーション１、ディスプレイ装置９は、それぞれ検索条件を指定する手段、指定された検索条件に対応する印刷用データの基となるデータを検索する手段、検索された印刷用データの基となるデータを表示する手段といえることは明らかである。
　刊行物１に記載の発明の商品別一覧表６の画像部分直下のフィールド6eに数量を入力する入力装置２は、数量を入力することにより商品画像を指定・選択したこともワークステーション１に認識されるようにしていることは明らかであるから、表示された印刷用データの基となるデータを指定する手段に相当するということができる。
　刊行物１に記載の発明においては、入力装置２でディスプレイ装置９に表示された商品別一覧表中の希望する商品の画像部分直下のフィールド6eに数量を入力することを繰り返して、必要な全ての商品を選択するようにしているから、選択した結果をワークステーション１などに設けられる記憶装置に累積して一時的に記憶すべきことは明らかであり、したがって、指定された印刷用データの基となるデータを一時的に記憶する手段に相当するものを備えているということができる。
　刊行物１に記載の発明においては、ワークステーション１、ディスプレイ装置９、プリンタ装置１０等によって商品の画像が表示されたプレゼンテーションボードをディスプレイ装置９に表示しまた適宜プリンタ装置１０でプリントするようにしているから、これらの装置は、一時的に記憶された印刷用データを出力する手段ということができる。
　刊行物１に記載の発明は、入力装置２でディスプレイ装置９に表示された商品別一覧表中の希望する商品の画像部分直下のフィールド6eに数量を入力することを繰り返して、必要な全ての商品を選択するようにしているから、印刷用データの基となるデータを一時的に記憶した状態で、検索条件を指定し、指定された検索条件に対応する印刷用データの基となるデータを検索し、検索された印刷用データの基となるデータを表示し、表示された印刷用データの基となるデータを指定し、指定された印刷用データの基となるデータを前記一時的に記憶した印刷用データの基となるデータに累積して一時的に記憶することが可能、であることも明らかである。
　そうすると、刊行物１には、
「複数の印刷用データの基となるデータから印刷対象の印刷用に用いられるものを検索する装置であって、
　各印刷用データの基となるデータを検索条件に対応付けて記憶する手段と、
　検索条件を指定する手段と、
　指定された検索条件に対応する印刷用データの基となるデータを検索する手段と、
　検索された印刷用データの基となるデータを表示する手段と、
　表示された印刷用データの基となるデータを指定する手段と、
　指定された印刷用データの基となるデータを一時的に記憶する手段と、
　一時的に記憶された印刷用データの基となるデータを出力する手段とを備え、
　印刷用データの基となるデータを一時的に記憶した状態で、検索条件を指定し、指定された検索条件に対応する印刷用データの基となるデータを検索し、検索された印刷用データの基となるデータを表示し、表示された印刷用データの基となるデータを指定し、指定された印刷用データの基となるデータを前記一時的に記憶した印刷用データの基となるデータに累積して一時的に記憶することが可能な印刷用データの基となるデータの検索装置」
の発明（以下「刊行物１発明」という。）も開示されているということができる。
　ここで、本件請求項１の記載全体をみると、請求項１発明における「印刷用データ」とは印刷に直接用いられる画像等のデータを意味していると解されるから、請求項１発明と刊行物１発明は、請求項１発明が「印刷用データ」そのものを検索等の対象としているのに対して、刊行物１発明は「印刷用データの基となるデータ」を検索等の対象としている点で相異するほかは一致していると認められる。
　そこで、この相異点について検討すると、刊行物１のものにおいては、図４の記載も参酌すると選択対象の商品が数が多く画像も小さいものとなることを想定して商品を選ぶための商品別一覧表の画像は他のものと識別できる程度のおおざっぱな形状などを表すものにとどめ、商品の精緻な画像はその画像の商品を検索するための商品番号に基づいて別途ビデオディスクに記録したものを表示するようにし、必要に応じてビデオディスクに記録したものを表示させそれを見て商品を最終的に選択するかどうかを決めるようにするとともに、ビデオディスクに記録したものをプレゼンテーションボードの画像として用いるようにしていると考えられ、商品の数が多くないなどの場合には必ずしも小さなものでおおざっぱな形状などを表すものとする必要はなく、したがって、精緻な画像を商品別一覧表に表す画像とし、その画像のデータをプレゼンテーションボードで表す画像のデータとすること、換言すれば「印刷用データの基となるデータ」に替えて「印刷用データ」とすることは当業者が容易に推考することができる程度のものと認められる。
　特許権者は、当審が通知した取消理由に対する意見書において、請求項１発明は表示された印刷用データを指定しても印刷データの検索は行われないが、刊行物１記載の発明においては精緻な画像がビデオディスク装置を介してビデオディスクより取り出される過程において検索が行われているから、この点で請求項１発明と刊行物１発明は相異する、という趣旨と解される主張を繰り返ししている。
　この点確かに両発明は相異するが、取消理由通知で指摘したのは、請求項１発明は刊行物１に記載された発明であるというのではなく、刊行物１発明に基づいて当業者が容易に発明することができたものというのであって、その理由は上記したとおりであるから、特許権者の上記主張は、請求項１発明が刊行物１発明に基づいて当業者が容易に発明することができたものでないことの根拠としては採用することができない。
　従って、本件請求項１発明は、特許法第２９条第２項の規定により特許を受けることができないものと認められる。
　
３．むすび
　以上から明らかなとおり、本件請求項１発明についての特許は、拒絶の査定をしなければならない特許出願に対してされたものと認められる。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年７月１８日（２００２．７．１８）